(57)【要約】      （修正有）【課題】特定ユーザーが生来有する正確かつ信憑性の高い属性や個性を示すことができる個性出力システムを提供する。【解決手段】個性出力システムは、所定の生年数および所定の生年月数、生年数および生年月数に対応する個別数の相関関係を利用して特定ユーザーの生年数および生年月数に対応する個別数を特定し、特定した個別数に所定数をプラスして属性数を算出し、所定の属性数、所定の属性数に対応する属性の相関関係を利用して特定ユーザーの属性数に対応する属性を特定するとともに、各属性を生年月数の偶数および奇数に区分した属性に対応する各個性の相関関係を利用して特定ユーザーの属性および生年月数の偶数または奇数に対応するいずれかの個性を特定する。【選択図】図９
2019139284.tif 000002
【特許請求の範囲】
【請求項１】
コンピュータ資源を利用し、特定ユーザーのデータに基づいて該特定ユーザーが生来有する個性を出力する個性出力システムにおいて、
前記個性出力システムが、前記特定ユーザーの生年月数を入力する生年月数入力手段と、所定の生年数および所定の生年月数、前記所定の生年数および所定の生年月数に対応する所定の個別数の相関関係を示す第１相関関係を利用し、前記生年月数入力手段によって入力された前記特定ユーザーの生年数および生年月数を前記第１相関関係に当て嵌め、前記特定ユーザーの生年数および生年月数に対応する該特定ユーザーの個別数を特定する個別数特定手段と、前記個別数特定手段によって特定した個別数に所定数をプラスして属性数を算出する属性数算出手段と、所定の属性数、前記所定の属性数に対応する第１の属性〜第６の属性の相関関係を示す第２相関関係を利用し、前記属性数算出手段によって算出した前記特定ユーザーの属性数を前記第２相関関係に当て嵌め、該特定ユーザーの属性数に対応する前記第１の属性〜第６の属性のうちのいずれかの属性を特定する属性特定手段と、前記第１の属性〜第６の属性の各属性を生年月数の偶数および奇数に区分した第１の属性（＋），第１の属性（−）〜第６の属性（＋），第６の属性（−）、前記第１の属性（＋），第１の属性（−）〜第６の属性（＋），第６の属性（−）に対応する第１の個性〜第１２の個性の相関関係を示す第３相関関係を利用し、前記属性特定手段によって特定した前記特定ユーザーの属性と該特定ユーザーの生年月数の偶数または奇数とを前記第３相関関係に当て嵌め、該特定ユーザーの属性および生年月数の偶数または奇数に対応する前記第１の個性〜第１２の個性のいずれかの個性を特定する個性特定手段と、前記個性特定手段によって特定した前記特定ユーザーの個性の個性データを出力する個性データ出力手段とを有することを特徴とする個性出力システム。
【請求項２】
前記個性出力システムが、前記属性特定手段によって特定された前記特定ユーザーの属性の属性データを出力する属性データ出力手段を含む請求項１に記載の個性出力システム。
【請求項３】
前記個性出力システムが、前記第１の属性〜第６の属性の各属性を生年月数の偶数および奇数に区分した前記第１の属性（＋），第１の属性（−）〜第６の属性（＋），第６の属性（−）、１２支の各干支、前記第１の属性（＋），第１の属性（−）〜第６の属性（＋），第６の属性（−）および前記１２支の各干支に対応する第１の宿命〜第１２の宿命の相関関係を示す第４相関関係を利用し、前記属性特定手段によって特定した前記特定ユーザーの属性と該特定ユーザーの生年月数の偶数または奇数と該特定ユーザーの干支とを前記第４相関関係に当て嵌め、該特定ユーザーの属性と該特定ユーザーの生年月数の偶数または奇数と該特定ユーザーの干支とに対応する前記第１の宿命〜第１２の宿命のいずれかの宿命を特定する宿命第１特定手段と、前記宿命第１特定手段によって特定した前記特定ユーザーの宿命の宿命データを出力する宿命データ第１出力手段とを含む請求項１または請求項２に記載の個性出力システム。
【請求項４】
前記第４相関関係では、前記第１の属性（＋），第１の属性（−）〜第６の属性（＋），第６の属性（−）が第６の属性（＋）→第６の属性（−）→第１の属性（＋）→第１の属性（−）→第２の属性（＋）→第２の属性（−）→第３の属性（＋）→第３の属性（−）→第４の属性（＋）→第４の属性（−）→第５の属性（＋）→第５の属性（−）の順に並び、前記１２支の１番目の干支および前記第６の属性（＋）に対応する前記第１の宿命から該１２支の順序に従って第２の宿命〜第１２の宿命が順に並び、次の前記第６の属性（−）〜前記第５の属性（−）に向かって、一つずつ下位に向かうにつれて一つ上位の属性に対して一つ前の宿命が前記１番目の干支に対応するように該第１の宿命〜第１２の宿命が順に並び、前記各干支に対応する前記第１の宿命〜第１２の宿命が該各干支が示す暦に応じて区分され、前記個性出力システムが、前記属性特定手段によって特定した前記特定ユーザーの属性と該特定ユーザーの生年月数の偶数または奇数とを前記第４相関関係に当て嵌め、該特定ユーザーの属性と該特定ユーザーの生年月数の偶数または奇数と前記１２支の各干支とに対応する前記第１の宿命〜第１２の宿命を特定するとともに、前記１２支の各干支に対応する前記暦を特定する宿命第２特定手段と、前記宿命第２特定手段によって特定した前記特定ユーザーの各干支毎の宿命および各干支に対応する暦、前記特定ユーザーの各干支毎に対応する暦毎の宿命の宿命データを出力する宿命データ第２出力手段とを含む請求項３に記載の個性出力システム。
【請求項５】
前記宿命第２特定手段では、前記特定ユーザーの各干支毎の宿命が各干支に対応する暦の年毎に並ぶ年表示バイオリズムグラフを生成し、前記宿命データ第２出力手段では、前記宿命第２特定手段によって生成した年表示バイオリズムグラフを出力する請求項４に記載の個性出力システム。
【請求項６】
前記第４相関関係では、前記第１の属性（＋），第１の属性（−）〜第６の属性（＋），第６の属性（−）が第６の属性（＋）→第６の属性（−）→第１の属性（＋）→第１の属性（−）→第２の属性（＋）→第２の属性（−）→第３の属性（＋）→第３の属性（−）→第４の属性（＋）→第４の属性（−）→第５の属性（＋）→第５の属性（−）の順に並び、前記１２支の１番目の干支および前記第６の属性（＋）に対応する前記第１の宿命から該１２支の順序に従って第２の宿命〜第１２の宿命が順に並び、次の前記第６の属性（−）〜前記第５の属性（−）に向かって、一つずつ下位に向かうにつれて一つ上位の属性に対して一つ前の宿命が前記１番目の干支に対応するように該第１の宿命〜第１２の宿命が順に並び、前記各干支に対応する前記第１の宿命〜第１２の宿命が該各干支が示す１月〜１２月の月毎に応じて区分され、前記個性出力システムが、前記属性特定手段によって特定した前記特定ユーザーの属性と該特定ユーザーの生年月数の偶数または奇数とを前記第４相関関係に当て嵌め、該特定ユーザーの属性と該特定ユーザーの生年月数の偶数または奇数と前記１２支の各干支とに対応する前記第１の宿命〜第１２の宿命を特定するとともに、前記１２支の各干支に対応する前記１月〜１２月を特定する宿命第３特定手段と、前記宿命第３特定手段によって特定した前記特定ユーザーの各干支毎の宿命および各干支に対応する１月〜１２月、前記特定ユーザーの各干支毎に対応する月毎の宿命の宿命データを出力する宿命データ第３出力手段とを含む請求項３に記載の個性出力システム。
【請求項７】
前記第４相関関係では、前記第１の宿命〜第１２の宿命のうち、前記第１２の宿命および前記第１の宿命を春夏秋冬のうちの冬と定義し、前記第２の宿命〜第５の宿命を春と定義し、前記第６の宿命〜第８の宿命を夏と定義するとともに、前記第９の宿命〜第１１の宿命を秋と定義し、前記個性出力システムが、前記属性特定手段によって特定した前記特定ユーザーの属性と該特定ユーザーの生年月数の偶数または奇数とを前記第４相関関係に当て嵌め、該特定ユーザーの属性と該特定ユーザーの生年月数の偶数または奇数と前記１２支の各干支とに対応する前記第１の宿命〜第１２の宿命を特定し、前記１２支の各干支に対応する前記１月〜１２月を特定するとともに、前記第１の宿命〜第１２の宿命に対応した春夏秋冬を特定する宿命第４特定手段と、前記宿命第４特定手段によって特定した前記特定ユーザーの各干支毎の宿命および各干支に対応する１月〜１２月、前記第１の宿命〜第１２の宿命に対応する春夏秋冬、前記特定ユーザーの各干支毎に対応する月毎の宿命の宿命データを出力する宿命データ第４出力手段とを含む請求項６に記載の個性出力システム。
【請求項８】
前記宿命第４特定手段では、前記特定ユーザーの各干支毎の宿命が各干支に対応する１月〜１２月の月毎および春夏秋冬毎に並ぶ月表示バイオリズムグラフを生成し、前記宿命データ第４出力手段では、前記宿命第４特定手段によって生成した月表示バイオリズムグラフを出力する請求項７に記載の個性出力システム。
【発明の詳細な説明】
【技術分野】
【０００１】
本発明は、特定ユーザーのデータに基づいて該特定ユーザーが生来有する個性を出力する個性出力システムに関する。
【背景技術】
【０００２】
ユーザーのプロファイルを記憶するプロファイル記憶手段と、複数のアンケートを記憶するアンケート情報記憶手段と、管理コンピュータとから形成され、管理コンピュータが、ユーザー識別子を付与し、そのユーザー識別子をユーザー端末に保存させるために提供する段階と、ユーザー端末からユーザーの生年月日に関する情報を含む個人情報とユーザー識別子とを受信した場合、個人情報をユーザー識別子と関連付けてプロファイル記憶手段に記憶し、個人情報に基づいて占い情報を生成するとともにユーザー識別子に基づいてアンケートを抽出し、ユーザー端末に送信する段階と、ユーザー端末からアンケートに対する回答を受信した場合、回答をユーザー識別子と関連付けてプロファイル記憶手段に記憶する段階とを備えた情報取得方法が開示されている（特許文献１参照）。
【先行技術文献】
【特許文献】
【０００３】
【特許文献１】特開２００４−１７１４３８号公報
【発明の概要】
【発明が解決しようとする課題】
【０００４】
前記特許文献１に開示の情報取得方法は、生年月日（個人情報）の入力に基づいて、定型的かつ一般的に占い結果を出力するにすぎず、占い結果の信憑性が乏しいのみならず、特定ユーザーが生来有する属性や特定ユーザーが生来有する個性、特定ユーザーが生来有する宿命を出力することはなく、自身の生来有する属性や個性、宿命を知りたいという各特定ユーザーの要望に応えることができない。また、この情報取得方法は、各干支に対応する西暦の年毎に並ぶ特定ユーザーの年表示バイオリズムを示すことができず、さらに、各干支に対応する１月〜１２月の月毎に並ぶ特定ユーザーの月表示バイオリズムを示すことができない。
【０００５】
本発明の目的は、所定の統計学に基づいて設計された各相関関係を利用し、特定ユーザーが生来有する正確かつ信憑性の高い属性を示すことができ、特定ユーザーが生来有する正確かつ信憑性の高い個性を示すことができるとともに、特定ユーザーが生来有する正確かつ信憑性の高い宿命を示すことができる個性出力システムを提供することにある。本発明の他の目的は、各干支に対応する西暦の年毎に並ぶ特定ユーザーの年表示バイオリズムを示すことができ、各干支に対応する１月〜１２月の月毎に並ぶ特定ユーザーの月表示バイオリズムを示すことができる個性出力システムを提供することにある。
【課題を解決するための手段】
【０００６】
前記課題を解決するための本発明の前提は、コンピュータ資源を利用し、特定ユーザーのデータに基づいて該特定ユーザーが生来有する個性を出力する個性出力システムである。
【０００７】
前記前提における本発明の特徴は、個性出力システムが、特定ユーザーの生年月数を入力する生年月数入力手段と、所定の生年数および所定の生年月数、所定の生年数および所定の生年月数に対応する所定の個別数の相関関係を示す第１相関関係を利用し、生年月数入力手段によって入力された特定ユーザーの生年数および生年月数を第１相関関係に当て嵌め、特定ユーザーの生年数および生年月数に対応する特定ユーザーの個別数を特定する個別数特定手段と、個別数特定手段によって特定した個別数に所定数をプラスして属性数を算出する属性数算出手段と、所定の属性数、所定の属性数に対応する第１の属性〜第６の属性の相関関係を示す第２相関関係を利用し、属性数算出手段によって算出した特定ユーザーの属性数を第２相関関係に当て嵌め、特定ユーザーの属性数に対応する第１の属性〜第６の属性のうちのいずれかの属性を特定する属性特定手段と、第１の属性〜第６の属性の各属性を生年月数の偶数および奇数に区分した第１の属性（＋），第１の属性（−）〜第６の属性（＋），第６の属性（−）、第１の属性（＋），第１の属性（−）〜第６の属性（＋），第６の属性（−）に対応する第１の個性〜第１２の個性の相関関係を示す第３相関関係を利用し、属性特定手段によって特定した特定ユーザーの属性と特定ユーザーの生年月数の偶数または奇数とを第３相関関係に当て嵌め、特定ユーザーの属性および生年月数の偶数または奇数に対応する第１の個性〜第１２の個性のいずれかの個性を特定する個性特定手段と、個性特定手段によって特定した特定ユーザーの個性の個性データを出力する個性データ出力手段とを有することにある。
【０００８】
本発明の一例としては、個性出力システムが、属性特定手段によって特定された特定ユーザーの属性の属性データを出力する属性データ出力手段を含む。
【０００９】
本発明の他の一例としては、個性出力システムが、第１の属性〜第６の属性の各属性を生年月数の偶数および奇数に区分した第１の属性（＋），第１の属性（−）〜第６の属性（＋），第６の属性（−）、１２支の各干支、第１の属性（＋），第１の属性（−）〜第６の属性（＋），第６の属性（−）および１２支の各干支に対応する第１の宿命〜第１２の宿命の相関関係を示す第４相関関係を利用し、属性特定手段によって特定した特定ユーザーの属性と特定ユーザーの生年月数の偶数または奇数と特定ユーザーの干支とを第４相関関係に当て嵌め、特定ユーザーの属性と特定ユーザーの生年月数の偶数または奇数と特定ユーザーの干支とに対応する第１の宿命〜第１２の宿命のいずれかの宿命を特定する宿命第１特定手段と、宿命第１特定手段によって特定した特定ユーザーの宿命の宿命データを出力する宿命データ第１出力手段とを含む。
【００１０】
本発明の他の一例として、第４相関関係では、第１の属性（＋），第１の属性（−）〜第６の属性（＋），第６の属性（−）が第６の属性（＋）→第６の属性（−）→第１の属性（＋）→第１の属性（−）→第２の属性（＋）→第２の属性（−）→第３の属性（＋）→第３の属性（−）→第４の属性（＋）→第４の属性（−）→第５の属性（＋）→第５の属性（−）の順に並び、１２支の１番目の干支および第６の属性（＋）に対応する第１の宿命から１２支の順序に従って第２の宿命〜第１２の宿命が順に並び、次の第６の属性（−）〜第５の属性（−）に向かって、一つずつ下位に向かうにつれて一つ上位の属性に対して一つ前の宿命が１番目の干支に対応するように第１の宿命〜第１２の宿命が順に並び、各干支に対応する第１の宿命〜第１２の宿命が各干支が示す暦に応じて区分され、個性出力システムが、属性特定手段によって特定した特定ユーザーの属性と特定ユーザーの生年月数の偶数または奇数とを第４相関関係に当て嵌め、特定ユーザーの属性と特定ユーザーの生年月数の偶数または奇数と１２支の各干支とに対応する第１の宿命〜第１２の宿命を特定するとともに、１２支の各干支に対応する暦を特定する宿命第２特定手段と、宿命第２特定手段によって特定した特定ユーザーの各干支毎の宿命および各干支に対応する暦、特定ユーザーの各干支毎に対応する暦毎の宿命の宿命データを出力する宿命データ第２出力手段とを含む。  
【００１１】
本発明の他の一例として、宿命第２特定手段では、特定ユーザーの各干支毎の宿命が各干支に対応する暦の年毎に並ぶ年表示バイオリズムグラフを生成し、宿命データ第２出力手段では、宿命第２特定手段によって生成した年表示バイオリズムグラフを出力する。
【００１２】
本発明の他の一例として、第４相関関係では、第１の属性（＋），第１の属性（−）〜第６の属性（＋），第６の属性（−）が第６の属性（＋）→第６の属性（−）→第１の属性（＋）→第１の属性（−）→第２の属性（＋）→第２の属性（−）→第３の属性（＋）→第３の属性（−）→第４の属性（＋）→第４の属性（−）→第５の属性（＋）→第５の属性（−）の順に並び、１２支の１番目の干支および第６の属性（＋）に対応する第１の宿命から１２支の順序に従って第２の宿命〜第１２の宿命が順に並び、次の第６の属性（−）〜第５の属性（−）に向かって、一つずつ下位に向かうにつれて一つ上位の属性に対して一つ前の宿命が１番目の干支に対応するように第１の宿命〜第１２の宿命が順に並び、各干支に対応する第１の宿命〜第１２の宿命が各干支が示す１月〜１２月の月毎に応じて区分され、個性出力システムが、属性特定手段によって特定した特定ユーザーの属性と特定ユーザーの生年月数の偶数または奇数とを第４相関関係に当て嵌め、特定ユーザーの属性と特定ユーザーの生年月数の偶数または奇数と１２支の各干支とに対応する第１の宿命〜第１２の宿命を特定するとともに、１２支の各干支に対応する１月〜１２月を特定する宿命第３特定手段と、宿命第３特定手段によって特定した特定ユーザーの各干支毎の宿命および各干支に対応する１月〜１２月、特定ユーザーの各干支毎に対応する月毎の宿命の宿命データを出力する宿命データ第３出力手段とを含む。
【００１３】
本発明の他の一例として、第４相関関係では、第１の宿命〜第１２の宿命のうち、第１２の宿命および第１の宿命を春夏秋冬のうちの冬と定義し、第２の宿命〜第５の宿命を春と定義し、第６の宿命〜第８の宿命を夏と定義するとともに、第９の宿命〜第１１の宿命を秋と定義し、個性出力システムが、属性特定手段によって特定した特定ユーザーの属性と特定ユーザーの生年月数の偶数または奇数とを第４相関関係に当て嵌め、特定ユーザーの属性と特定ユーザーの生年月数の偶数または奇数と前記１２支の各干支とに対応する第１の宿命〜第１２の宿命を特定し、１２支の各干支に対応する１月〜１２月を特定するとともに、第１の宿命〜第１２の宿命に対応した春夏秋冬を特定する宿命第４特定手段と、宿命第４特定手段によって特定した特定ユーザーの各干支毎の宿命および各干支に対応する１月〜１２月、第１の宿命〜第１２の宿命に対応する春夏秋冬、特定ユーザーの各干支毎に対応する月毎の宿命の宿命データを出力する宿命データ第４出力手段とを含む。
【００１４】
本発明の他の一例として、宿命第４特定手段では、特定ユーザーの各干支毎の宿命が各干支に対応する１月〜１２月の月毎および春夏秋冬毎に並ぶ月表示バイオリズムグラフを生成し、宿命データ第４出力手段では、宿命第４特定手段によって生成した月表示バイオリズムグラフを出力する。
【発明の効果】
【００１５】
本発明に係る個性出力システムによれば、特定ユーザーの生年月数を入力し、入力された特定ユーザーの生年数および生年月数を第１相関関係に当て嵌め、特定ユーザーの生年数および生年月数に対応する特定ユーザーの個別数を特定し、特定した個別数に所定数をプラスして属性数を算出するとともに、算出した特定ユーザーの属性数を第２相関関係に当て嵌め、特定ユーザーの属性数に対応する第１の属性〜第６の属性のうちのいずれかの属性を特定し、特定した特定ユーザーの属性と特定ユーザーの生年月数の偶数または奇数とを第３相関関係に当て嵌め、特定ユーザーの属性および生年月数の偶数または奇数に対応する第１の個性〜第１２の個性のいずれかの個性を特定し、特定した特定ユーザーの個性の個性データを出力するから、所定の統計学に基づいて設計された第１相関関係〜第３相関関係を利用し、特定ユーザーが生来有する正確かつ信憑性の高い個性データを出力することができ、自身の生来有する個性を知りたいという各特定ユーザーの要望に応えることができる。個性出力システムは、特定ユーザーが自身の生来有する正確かつ信憑性の高い個性を知ることができるから、その個性に基づいて自分自身を客観的に見ることができ、その個性を参酌することで自身の進むべき方向を判断することができ、未来に向かって正しい方向へ進むことが可能になる。
【００１６】
特定された特定ユーザーの属性の属性データを出力する個性出力システムは、所定の統計学に基づいて設計された第１相関関係および第２相関関係を利用し、特定ユーザーが生来有する正確かつ信憑性の高い属性データを出力することができ、自身の生来有する属性を知りたいという各特定ユーザーの要望に応えることができる。個性出力システムは、特定ユーザーが自身の生来有する正確かつ信憑性の高い属性を知ることができるから、その属性に基づいて自分自身を客観的に見ることができ、その属性を参酌することで自身の進むべき方向を判断することができ、未来に向かって正しい方向へ進むことが可能になる。
【００１７】
特定した特定ユーザーの属性と特定ユーザーの生年月数の偶数または奇数と特定ユーザーの干支とを第４相関関係に当て嵌め、特定ユーザーの属性と特定ユーザーの生年月数の偶数または奇数と特定ユーザーの干支とに対応する第１の宿命〜第１２の宿命のいずれかの宿命を特定し、特定した特定ユーザーの宿命の宿命データを出力する個性出力システムは、所定の統計学に基づいて設計された第１相関関係〜第４相関関係を利用し、特定ユーザーが生来有する正確かつ信憑性の高い宿命データを出力することができ、自身の生来有する宿命を知りたいという各特定ユーザーの要望に応えることができる。個性出力システムは、特定ユーザーが自身の生来有する正確かつ信憑性の高い宿命を知ることができるから、その宿命に基づいて自分自身を客観的に見ることができ、その宿命を参酌することで自身の進むべき方向を判断することができ、未来に向かって正しい方向へ進むことが可能になる。
【００１８】
第４相関関係において、第１の属性（＋），第１の属性（−）〜第６の属性（＋），第６の属性（−）が第６の属性（＋）→第６の属性（−）→第１の属性（＋）→第１の属性（−）→第２の属性（＋）→第２の属性（−）→第３の属性（＋）→第３の属性（−）→第４の属性（＋）→第４の属性（−）→第５の属性（＋）→第５の属性（−）の順に並び、１２支の１番目の干支および第６の属性（＋）に対応する第１の宿命から１２支の順序に従って第２の宿命〜第１２の宿命が順に並び、次の第６の属性（−）〜第５の属性（−）に向かって、一つずつ下位に向かうにつれて一つ上位の属性に対して一つ前の宿命が１番目の干支に対応するように第１の宿命〜第１２の宿命が順に並び、各干支に対応する第１の宿命〜第１２の宿命が各干支が示す暦に応じて区分され、特定した特定ユーザーの属性と特定ユーザーの生年月数の偶数または奇数とを第４相関関係に当て嵌め、特定ユーザーの属性と特定ユーザーの生年月数の偶数または奇数と１２支の各干支とに対応する第１の宿命〜第１２の宿命を特定するとともに、１２支の各干支に対応する暦を特定し、特定した特定ユーザーの各干支毎の宿命および各干支に対応する暦、特定ユーザーの各干支毎に対応する暦毎の宿命の宿命データを出力する個性出力システムは、所定の統計学に基づいて設計された第１相関関係〜第４相関関係を利用し、特定ユーザーの各干支毎の宿命および各干支に対応する暦、特定ユーザーの正確かつ信憑性の高い暦毎の宿命データを出力することができ、暦毎の宿命を知りたいという各特定ユーザーの要望に応えることができる。個性出力システムは、特定ユーザーが正確かつ信憑性の高い暦毎の宿命を知ることができるから、各暦毎の宿命を参酌することで自身の進むべき方向を判断することができ、各暦毎に正しい方向へ進むことが可能になる。
【００１９】
特定ユーザーの各干支毎の宿命が各干支に対応する暦の年毎に並ぶ年表示バイオリズムグラフを生成し、生成した年表示バイオリズムグラフを出力する個性出力システムは、各干支毎の宿命が暦の年毎に並ぶ年表示バイオリズムグラフを出力することで、特定ユーザーが自身の各年毎の宿命をビジュアルに知ることができ、年表示バイオリズムグラフに表示された各年毎の宿命を参酌することで自身の進むべき方向を判断することができ、各暦毎に正しい方向へ進むことが可能になる。
【００２０】
第４相関関係において、第１の属性（＋），第１の属性（−）〜第６の属性（＋），第６の属性（−）が第６の属性（＋）→第６の属性（−）→第１の属性（＋）→第１の属性（−）→第２の属性（＋）→第２の属性（−）→第３の属性（＋）→第３の属性（−）→第４の属性（＋）→第４の属性（−）→第５の属性（＋）→第５の属性（−）の順に並び、１２支の１番目の干支および第６の属性（＋）に対応する第１の宿命から１２支の順序に従って第２の宿命〜第１２の宿命が順に並び、次の第６の属性（−）〜前記第５の属性（−）に向かって、一つずつ下位に向かうにつれて一つ上位の属性に対して一つ前の宿命が１番目の干支に対応するように第１の宿命〜第１２の宿命が順に並び、各干支に対応する第１の宿命〜第１２の宿命が各干支が示す１月〜１２月の月毎に応じて区分され、特定した特定ユーザーの属性と特定ユーザーの生年月数の偶数または奇数とを第４相関関係に当て嵌め、特定ユーザーの属性と特定ユーザーの生年月数の偶数または奇数と１２支の各干支とに対応する第１の宿命〜第１２の宿命を特定するとともに、１２支の各干支に対応する１月〜１２月を特定し、特定した特定ユーザーの各干支毎の宿命および各干支に対応する１月〜１２月、特定ユーザーの各干支毎に対応する月毎の宿命の宿命データを出力する個性出力システムは、所定の統計学に基づいて設計された第１相関関係〜第４相関関係を利用し、特定ユーザーの各干支毎の宿命および各干支に対応する１月〜１２月、特定ユーザーの正確かつ信憑性の高い各月毎の宿命データを出力することができ、各月毎の宿命を知りたいという各特定ユーザーの要望に応えることができる。個性出力システムは、特定ユーザーが正確かつ信憑性の高い各月毎の宿命を知ることができるから、各月毎の宿命を参酌することで自身の進むべき方向を判断することができ、各月毎に正しい方向へ進むことが可能になる。
【００２１】
第４相関関係において、第１の宿命〜第１２の宿命のうち、第１２の宿命および第１の宿命を春夏秋冬のうちの冬と定義し、第２の宿命〜第５の宿命を春と定義し、第６の宿命〜第８の宿命を夏と定義するとともに、第９の宿命〜第１１の宿命を秋と定義し、特定した特定ユーザーの属性と特定ユーザーの生年月数の偶数または奇数とを第４相関関係に当て嵌め、特定ユーザーの属性と特定ユーザーの生年月数の偶数または奇数と１２支の各干支とに対応する第１の宿命〜第１２の宿命を特定し、１２支の各干支に対応する１月〜１２月を特定するとともに、第１の宿命〜第１２の宿命に対応した春夏秋冬を特定し、特定した特定ユーザーの各干支毎の宿命および各干支に対応する１月〜１２月、第１の宿命〜第１２の宿命に対応する春夏秋冬、特定ユーザーの各干支毎に対応する月毎の宿命の宿命データを出力する個性出力システムは、所定の統計学に基づいて設計された第１相関関係〜第４相関関係を利用し、特定ユーザーの各干支毎の宿命および各干支に対応する１月〜１２月、第１の宿命〜第１２の宿命に対応する春夏秋冬、特定ユーザーの正確かつ信憑性の高い各月毎および各季節毎の宿命データを出力することができ、各月毎および各季節毎の宿命を知りたいという各特定ユーザーの要望に応えることができる。個性出力システムは、特定ユーザーが正確かつ信憑性の高い各月毎および各季節毎の宿命を知ることができるから、各月毎および各季節毎の宿命を参酌することで自身の進むべき方向を判断することができ、各月毎および各季節毎に正しい方向へ進むことが可能になる。
【００２２】
特定ユーザーの各干支毎の宿命が各干支に対応する１月〜１２月の月毎および春夏秋冬毎に並ぶ月表示バイオリズムグラフを生成し、生成した月表示バイオリズムグラフを出力する個性出力システムは、各干支毎の宿命が各月毎および各季節毎に並ぶ月表示バイオリズムグラフを出力することで、特定ユーザーが自身の各月毎および各季節毎の宿命をビジュアルに知ることができ、年表示バイオリズムグラフに表示された各月毎および各季節毎の宿命を参酌することで自身の進むべき方向を判断することができ、各月毎および各季節毎に正しい方向へ進むことが可能になる。
【図面の簡単な説明】
【００２３】
【図１】一例として示す個性出力システムの構成図。
【図２】個性出力サーバに格納（記憶）された第１相関関係の一例を示す図。
【図３】個性出力サーバに格納（記憶）された第２相関関係の一例を示す図。
【図４】個性出力サーバに格納（記憶）された第３相関関係の一例を示す図。
【図５】個性出力サーバに格納（記憶）された第４相関関係の一例を示す図。
【図６】個性出力サーバに格納（記憶）された第１の属性〜第６の属性の一例を示す図。
【図７】個性出力サーバに格納（記憶）された第１の個性〜第１２の個性の一例を示す図。
【図８】個性出力サーバに格納（記憶）された第１の宿命〜第１２の宿命の一例を示す図。
【図９】宿命データ（鑑定表）出力画面の一例を示す図。
【図１０】月表示バイオリズムグラフの一例を示す図。
【図１１】年表示バイオリズムグラフの一例を示す図。
【発明を実施するための形態】
【００２４】
一例として示す個性出力システムの構成図である図１等の添付の図面を参照し、本発明に係る個性出力システムの詳細を説明すると、以下のとおりである。なお、図１では、１台のスマートフォン１１、１台のタブレット１２、１台のノート型パソコン１３を図示しているが、実際の個性出力システムでは、各種複数のスマートフォン１１や各種複数のタブレット１２、各種複数のパソコン１３が利用される。
【００２５】
個性出力システムは、個性出力サーバ１０（サーバ）（コンピュータ資源）にソフトウェア（アプリケーション）として格納（記憶）されている。なお、個性出力システム（ソフトウェア）がクラウド（バーチャルマシンを含む）に格納（記憶）されていてもよい。個性出力システムは、個性出力サーバ１０を利用し、特定ユーザーのデータに基づいて特定ユーザーが生来有する個性や宿命を出力する。個性出力システムを利用するユーザーは、個性出力システムを提供する事業者とシステム利用契約を締結している。図示のスマートフォン１１やタブレット１２、パソコン１３は、システム利用契約を締結したユーザーが所持している。
【００２６】
個性出力サーバ１０は、個性出力システムを提供する事業者が契約するデータセンター（クラウドを含む）に設置されている。なお、個性出力サーバ１０が個性出力システムを提供する事業者の事業所に設置される場合もある。個性出力サーバ１０は、中央処理部（ＣＰＵまたはＭＰＵ）とメモリ（メインメモリおよびキャッシュメモリ）とを有して独立したオペレーティングシステム（ＯＳ）によって動作する物理的なコンピュータであり、大容量記憶領域（大容量ハードディスク等）を実装している。個性出力サーバ１０には、図示はしていないが、キーボードやマウス等の入力装置、ディスプレイやタッチパネル、プリンタ等の出力装置がインターフェイスを介して接続されている。
【００２７】
個性出力サーバ１０は、ＤＮＳサーバ機能、データベースサーバ機能、Ｗｅｂサーバ機能、メールサーバ機能、ドキュメントサーバ機能の各種サーバ機能を有し、インターネット１４に接続された各種複数のＤＮＳサーバ等を経由しつつ、インターネット１４を利用してアクセス制限がない他のあらゆるサーバにアクセスかつログインすることができるとともに、インターネット１４において各種検索エンジンを利用することができる。
【００２８】
個性出力サーバ１０の大容量記憶領域には、サーバ特定情報（サーバ個体識別子）、スマートフォン１１やタブレット１２、ノート型パソコン１３のＵＲＬ、スマートフォン１１やタブレット１２、パソコン１３の通信端末特定情報（通信端末個体識別子）、スマートフォン１１やタブレット１２、パソコン１３のメールアドレス、スマートフォン１１やタブレット１２、パソコン１３を保有するユーザーの個別情報が通信端末特定情報に関連付けられた状態で格納（記憶）されている。
【００２９】
サーバ特定情報や通信端末特定情報には、個性出力サーバ１０やスマートフォン１１、タブレット１２、ノート型パソコン１３のＩＰアドレスやＭＡＣアドレス、ＵＲＬ、メールアドレス、Ｃｏｏｋｉｅ情報、固体識別番号等を利用することができる他、個性出力サーバ１０やスマートフォン１１、タブレット１２、ノート型パソコン１３がそれらを識別するユニークな識別子を独自に生成し、生成した識別子をサーバ特定情報や通信端末特定情報にすることもできる。ユーザーの個別情報には、ユーザーのＩＤ番号やパスワード、ユーザーの氏名または名称、住所、電話番号、ＦＡＸ番号、年齢や性別等がある。
【００３０】
スマートフォン１１は、それぞれ機種が異なるとともにそれらを提供するキャリア（メーカー）が異なる。タブレット１２やパソコン１３は、それぞれ機種が異なるとともにそれらを提供するメーカーが異なる。携帯通信端末には、携帯電話や携帯情報端末（ＰＤＡ）も含まれ、さらに、今後開発されるインターネット１４に接続可能なあらゆる携帯通信端末が含まれる。
【００３１】
スマートフォン１１やタブレット１２は、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵し、大容量記憶領域（大容量ハードディスク等）を実装している。ノート型パソコン１３は、中央処理部（ＣＰＵまたはＭＰＵ）とメモリ（メインメモリおよびキャッシュメモリ）とを有して独立したオペレーティングシステム（ＯＳ）によって動作する物理的なコンピュータである。
【００３２】
スマートフォン１１やタブレット１２、ノート型パソコン１３は、それらのメモリに格納されたウェブブラウザを利用してインターネット１４に接続可能であり、インターネット１４を利用してアクセス制限がない不特定多数の他のサーバ（物理サーバや仮想サーバ）やスマートフォン、タブレット、ノート型パソコンにアクセスかつログインすることができるとともに、インターネット１４において各種検索エンジンを利用することができる。
【００３３】
図２は、個性出力サーバ１０に格納（記憶）された第１相関関係の一例を示す図であり、図３は、個性出力サーバ１０に格納（記憶）された第２相関関係の一例を示す図である。図４は、個性出力サーバ１０に格納（記憶）された第３相関関係の一例を示す図であり、図５は、個性出力サーバ１０に格納（記憶）された第４相関関係の一例を示す図である。図６は、個性出力サーバ１０に格納（記憶）された第１の属性〜第６の属性の一例を示す図であり、図７は、個性出力サーバ１０に格納（記憶）された第１の個性〜第１２の個性の一例を示す図である。図８は、個性出力サーバ１０に格納（記憶）された第１の宿命〜第１２の宿命の一例を示す図である。
【００３４】
個性出力サーバ１０の大容量記憶領域には、第１相関関係〜第４相関関係が格納（記憶）されている。第１相関関係は、所定の統計学に基づいて設計され、生年月数に対する各個別数を定めている。第１相関関係は、図２に示すように、所定の生年数および所定の生年月数と、所定の生年数および所定の生年月数に対応する所定の個別数との相関関係を示す。図２の第１相関関係では、横軸に月（１月〜１２月）、縦軸に西暦（２００１年〜２０２０年）、和暦（平成１３年〜平成３２年）、１２支の各干支が表示され、生年月数に対する各個別数が表示されている。図２では２００１年〜２０２０年（平成１３年〜平成３２年）までの生年月数に対する個別数を示しているが、個性出力サーバの大容量記憶領域には２００１年以前の過去に遡った生年月数に対する個別数も格納（記憶）されている。
【００３５】
第２相関関係は、所定の統計学に基づいて設計され、第１相関関係によって定められた所定の属性数に対する第１の属性〜第６の属性を定めている。第２相関関係は、図３に示すように、第１相関関係によって定められた所定の属性数と、所定の属性数に対応する第１の属性〜第６の属性との相関関係を示す。図３の第２相関関係には、属性数１〜１０および属性数１〜１０に対応する第５の属性、属性数１１〜２０および属性数１１〜２０に対応する第４の属性、属性数２１〜３０および属性数２１〜３０に対応する第３の属性、属性数３１〜４０および属性数３１〜４０に対応する第２の属性、属性数４１〜５０および属性数４１〜５０に対応する第１の属性、属性数５１〜６０および属性数５１〜６０に対応する第６の属性が表示されている。
【００３６】
第３相関関係は、所定の統計学に基づいて設計され、第２相関関係（第１相関関係を含む）によって定められた第１の属性〜第６の属性を生年月数の偶数および奇数によって区分した第１の属性（＋），第１の属性（−）〜第６の属性（＋），第６の属性（−）に対応する第１の個性〜第１２の個性を定めている。第３相関関係は、図４に示すように、第１の属性〜第６の属性の各属性を生年月数の偶数および奇数に区分した第１の属性（＋），第１の属性（−）〜第６の属性（＋），第６の属性（−）と、第１の属性（＋），第１の属性（−）〜第６の属性（＋），第６の属性（−）に対応する第１の個性〜第１２の個性との相関関係を示す。
【００３７】
図４の第３相関関係には、第５の属性および第５の属性を生年月数の偶数や奇数に区分した第５の属性（＋）および第５の属性（−）、第５の属性（＋）に対応する第９の個性および第５の属性（−）に対する第１０の個性、第４の属性および第４の属性を生年月数の偶数や奇数に区分した第４の属性（＋）および第４の属性（−）、第４の属性（＋）に対応する第７の個性および第４の属性（−）に対する第８の個性、第３の属性および第３の属性を生年月数の偶数や奇数に区分した第３の属性（＋）および第３の属性（−）、第３の属性（＋）に対応する第５の個性および第３の属性（−）に対する第６の個性が表示されている。
【００３８】
さらに、図４の第３相関関係には、第２の属性および第２の属性を生年月数の偶数や奇数に区分した第２の属性（＋）および第２の属性（−）、第２の属性（＋）に対応する第３の個性および第２の属性（−）に対する第４の個性、第１の属性および第１の属性を生年月数の偶数や奇数に区分した第１の属性（＋）および第１の属性（−）、第１の属性（＋）に対応する第１の個性および第１の属性（−）に対する第２の個性、第６の属性および第６の属性を生年月数の偶数や奇数に区分した第６の属性（＋）および第６の属性（−）、第６の属性（＋）に対応する第１１の個性および第６の属性（−）に対する第１２の個性が表示されている。
【００３９】
第４相関関係は、所定の統計学に基づいて設計され、第３相関関係（第１相関関係および第２相関関係を含む）によって定められた第１の属性（＋），第１の属性（−）〜第６の属性（＋），第６の属性（−）と１２支の各干支とに応じた第１の宿命〜第１２の宿命を定めている。第４相関関係は、図５に示すように、第１の属性〜第６の属性の各属性を生年月数の偶数および奇数に区分した第１の属性（＋），第１の属性（−）〜第６の属性（＋），第６の属性（−）、１２支の各干支、第１の属性（＋），第１の属性（−）〜第６の属性（＋），第６の属性（−）および１２支の各干支に応じた第１の宿命〜第１２の宿命の相関関係を示している。
【００４０】
図５の第４相関関係では、第１の属性（＋），第１の属性（−）〜第６の属性（＋），第６の属性（−）が第６の属性（＋）→第６の属性（−）→第１の属性（＋）→第１の属性（−）→第２の属性（＋）→第２の属性（−）→第３の属性（＋）→第３の属性（−）→第４の属性（＋）→第４の属性（−）→第５の属性（＋）→第５の属性（−）の順に並んでいる。
【００４１】
第４相関関係では、１２支の１番目の干支（子）および第６の属性（＋）に対応する第１の宿命から１２支の順序（丑，寅，卯，辰，巳，午，未，申，酉，戌，亥）に従って第２の宿命〜第１２の宿命が順に並び、次の第６の属性（−）〜第５の属性（−）に向かって、一つずつ下位に向かうにつれて一つ上位の属性に対して一つ前の宿命が１番目の干支（子）に対応するように第１の宿命〜第１２の宿命が順に並んでいる。第４相関関係では、各干支に対応する第１の宿命〜第１２の宿命が各干支が示す暦（西暦、和暦）に応じて区分されている。
【００４２】
具体的に第６の属性（＋）では、１番目の干支（子）に第１の宿命、２番目の干支（丑）に第２の宿命、３番目の干支（寅）に第３の宿命、４番目の干支（卯）に第４の宿命、５番目の干支（辰）に第５の宿命、６番目の干支（巳）に第６の宿命、７番目の干支（午）に第７の宿命、８番目の干支（未）に第８の宿命、９番目の干支（申）に第９の宿命、１０番目の干支（酉）に第１０の宿命、１１番目の干支（戌）に第１１の宿命、１２番目の干支（亥）に第１２の宿命が対応している。第６の属性（＋）では、第１の宿命が１番目の干支（子）に入る。
【００４３】
第６の属性（＋）の１つ下位の第６の属性（−）では、１番目の干支（子）に第１２の宿命、２番目の干支（丑）に第１の宿命、３番目の干支（寅）に第２の宿命、４番目の干支（卯）に第３の宿命、５番目の干支（辰）に第４の宿命、６番目の干支（巳）に第５の宿命、７番目の干支（午）に第６の宿命、８番目の干支（未）に第７の宿命、９番目の干支（申）に第８の宿命、１０番目の干支（酉）に第９の宿命、１１番目の干支（戌）に第１０の宿命、１２番目の干支（亥）に第１１の宿命が対応している。第６の属性（−）では、一つ上位の属性（第６の属性（＋））に対して一つ前の宿命（第１２の宿命）が１番目の干支（子）に対応し、第１の宿命が一つ上位の属性（第６の属性（＋））の１番目の干支（子）の次の干支である２番目の干支（丑）に入る。
【００４４】
第６の属性（−）の１つ下位の第１の属性（＋）では、１番目の干支（子）に第１１の宿命、２番目の干支（丑）に第１２の宿命、３番目の干支（寅）に第１の宿命、４番目の干支（卯）に第２の宿命、５番目の干支（辰）に第３の宿命、６番目の干支（巳）に第４の宿命、７番目の干支（午）に第５の宿命、８番目の干支（未）に第６の宿命、９番目の干支（申）に第７の宿命、１０番目の干支（酉）に第８の宿命、１１番目の干支（戌）に第９の宿命、１２番目の干支（亥）に第１０の宿命が対応している。第１の属性（＋）では、一つ上位の属性（第６の属性（−））に対して一つ前の宿命（第１１の宿命）が１番目の干支（子）に対応し、第１の宿命が一つ上位の属性（第６の属性（−））の２番目の干支（丑）の次の干支である３番目の干支（寅）に入る。
【００４５】
第１の属性（＋）の１つ下位の第１の属性（−）では、１番目の干支（子）に第１０の宿命、２番目の干支（丑）に第１１の宿命、３番目の干支（寅）に第１２の宿命、４番目の干支（卯）に第１の宿命、５番目の干支（辰）に第２の宿命、６番目の干支（巳）に第３の宿命、７番目の干支（午）に第４の宿命、８番目の干支（未）に第５の宿命、９番目の干支（申）に第６の宿命、１０番目の干支（酉）に第７の宿命、１１番目の干支（戌）に第８の宿命、１２番目の干支（亥）に第９の宿命が対応している。第１の属性（−）では、一つ上位の属性（第１の属性（＋））に対して一つ前の宿命（第１０の宿命）が１番目の干支（子）に対応し、第１の宿命が一つ上位の属性（第１の属性（＋））の３番目の干支（寅）の次の干支である４番目の干支（卯）に入る。
【００４６】
第１の属性（−）の１つ下位の第２の属性（＋）では、１番目の干支（子）に第９の宿命、２番目の干支（丑）に第１０の宿命、３番目の干支（寅）に第１１の宿命、４番目の干支（卯）に第１２の宿命、５番目の干支（辰）に第１の宿命、６番目の干支（巳）に第２の宿命、７番目の干支（午）に第３の宿命、８番目の干支（未）に第４の宿命、９番目の干支（申）に第５の宿命、１０番目の干支（酉）に第６の宿命、１１番目の干支（戌）に第７の宿命、１２番目の干支（亥）に第８の宿命が対応している。第２の属性（＋）では、一つ上位の属性（第１の属性（−））に対して一つ前の宿命（第９の宿命）が１番目の干支（子）に対応し、第１の宿命が一つ上位の属性（第１の属性（−））の４番目の干支（卯）の次の干支である５番目の干支（辰）に入る。
【００４７】
第２の属性（＋）の１つ下位の第２の属性（−）では、１番目の干支（子）に第８の宿命、２番目の干支（丑）に第９の宿命、３番目の干支（寅）に第１０の宿命、４番目の干支（卯）に第１１の宿命、５番目の干支（辰）に第１２の宿命、６番目の干支（巳）に第１の宿命、７番目の干支（午）に第２の宿命、８番目の干支（未）に第３の宿命、９番目の干支（申）に第４の宿命、１０番目の干支（酉）に第５の宿命、１１番目の干支（戌）に第６の宿命、１２番目の干支（亥）に第７の宿命が対応している。第２の属性（−）では、一つ上位の属性（第２の属性（＋））に対して一つ前の宿命（第８の宿命）が１番目の干支（子）に対応し、第１の宿命が一つ上位の属性（第２の属性（＋））の５番目の干支（辰）の次の干支である６番目の干支（巳）に入る。
【００４８】
第２の属性（−）の１つ下位の第３の属性（＋）では、１番目の干支（子）に第７の宿命、２番目の干支（丑）に第８の宿命、３番目の干支（寅）に第９の宿命、４番目の干支（卯）に第１０の宿命、５番目の干支（辰）に第１１の宿命、６番目の干支（巳）に第１２の宿命、７番目の干支（午）に第１の宿命、８番目の干支（未）に第２の宿命、９番目の干支（申）に第３の宿命、１０番目の干支（酉）に第４の宿命、１１番目の干支（戌）に第５の宿命、１２番目の干支（亥）に第６の宿命が対応している。第３の属性（＋）では、一つ上位の属性（第２の属性（−））に対して一つ前の宿命（第７の宿命）が１番目の干支（子）に対応し、第１の宿命が一つ上位の属性（第２の属性（−））の６番目の干支（巳）の次の干支である７番目の干支（午）に入る。
【００４９】
第３の属性（＋）の１つ下位の第３の属性（−）では、１番目の干支（子）に第６の宿命、２番目の干支（丑）に第７の宿命、３番目の干支（寅）に第８の宿命、４番目の干支（卯）に第９の宿命、５番目の干支（辰）に第１０の宿命、６番目の干支（巳）に第１１の宿命、７番目の干支（午）に第１２の宿命、８番目の干支（未）に第１の宿命、９番目の干支（申）に第２の宿命、１０番目の干支（酉）に第３の宿命、１１番目の干支（戌）に第４の宿命、１２番目の干支（亥）に第５の宿命が対応している。第３の属性（−）では、一つ上位の属性（第３の属性（＋））に対して一つ前の宿命（第６の宿命）が１番目の干支（子）に対応し、第１の宿命が一つ上位の属性（第３の属性（＋））の７番目の干支（午）の次の干支である８番目の干支（未）に入る。
【００５０】
第３の属性（−）の１つ下位の第４の属性（＋）では、１番目の干支（子）に第５の宿命、２番目の干支（丑）に第６の宿命、３番目の干支（寅）に第７の宿命、４番目の干支（卯）に第８の宿命、５番目の干支（辰）に第９の宿命、６番目の干支（巳）に第１０の宿命、７番目の干支（午）に第１１の宿命、８番目の干支（未）に第１２の宿命、９番目の干支（申）に第１の宿命、１０番目の干支（酉）に第２の宿命、１１番目の干支（戌）に第３の宿命、１２番目の干支（亥）に第４の宿命が対応している。第４の属性（＋）では、一つ上位の属性（第３の属性（−））に対して一つ前の宿命（第５の宿命）が１番目の干支（子）に対応し、第１の宿命が一つ上位の属性（第３の属性（−））の８番目の干支（未）の次の干支である９番目の干支（申）に入る。
【００５１】
第４の属性（＋）の１つ下位の第４の属性（−）では、１番目の干支（子）に第４の宿命、２番目の干支（丑）に第５の宿命、３番目の干支（寅）に第６の宿命、４番目の干支（卯）に第７の宿命、５番目の干支（辰）に第８の宿命、６番目の干支（巳）に第９の宿命、７番目の干支（午）に第１０の宿命、８番目の干支（未）に第１１の宿命、９番目の干支（申）に第１２の宿命、１０番目の干支（酉）に第１の宿命、１１番目の干支（戌）に第２の宿命、１２番目の干支（亥）に第３の宿命が対応している。第４の属性（−）では、一つ上位の属性（第４の属性（＋））に対して一つ前の宿命（第４の宿命）が１番目の干支（子）に対応し、第１の宿命が一つ上位の属性（第４の属性（＋））の９番目の干支（申）の次の干支である１０番目の干支（酉）に入る。
【００５２】
第４の属性（−）の１つ下位の第５の属性（＋）では、１番目の干支（子）に第３の宿命、２番目の干支（丑）に第４の宿命、３番目の干支（寅）に第５の宿命、４番目の干支（卯）に第６の宿命、５番目の干支（辰）に第７の宿命、６番目の干支（巳）に第８の宿命、７番目の干支（午）に第９の宿命、８番目の干支（未）に第１０の宿命、９番目の干支（申）に第１１の宿命、１０番目の干支（酉）に第１２の宿命、１１番目の干支（戌）に第１の宿命、１２番目の干支（亥）に第２の宿命が対応している。第５の属性（＋）では、一つ上位の属性（第４の属性（−））に対して一つ前の宿命（第３の宿命）が１番目の干支（子）に対応し、第１の宿命が一つ上位の属性（第４の属性（−））の１０番目の干支（酉）の次の干支である１１番目の干支（戌）に入る。
【００５３】
第５の属性（＋）の１つ下位の第５の属性（−）では、１番目の干支（子）に第２の宿命、２番目の干支（丑）に第３の宿命、３番目の干支（寅）に第４の宿命、４番目の干支（卯）に第５の宿命、５番目の干支（辰）に第６の宿命、６番目の干支（巳）に第７の宿命、７番目の干支（午）に第８の宿命、８番目の干支（未）に第９の宿命、９番目の干支（申）に第１０の宿命、１０番目の干支（酉）に第１１の宿命、１１番目の干支（戌）に第１２の宿命、１２番目の干支（亥）に第１の宿命が対応している。第５の属性（−）では、一つ上位の属性（第５の属性（＋））に対して一つ前の宿命（第２の宿命）が１番目の干支（子）に対応し、第１の宿命が一つ上位の属性（第５の属性（＋））の１１番目の干支（戌）の次の干支である１２番目の干支（亥）に入る。
【００５４】
さらに、第４相関関係では、第１の宿命〜第１２の宿命のうち、第１２の宿命および第１の宿命を春夏秋冬のうちの冬（準備期間）と定義し、第２の宿命〜第５の宿命を春夏秋冬のうちの春（成長期間）と定義し、第６の宿命〜第８の宿命を春夏秋冬のうちの夏（活動期間）と定義するとともに、第９の宿命〜第１１の宿命を春夏秋冬のうちの秋（収穫期間）と定義する。
【００５５】
第１の属性の属性データは、図６に示すように、「石橋を叩いて渡る人、生真面目な性格で慎重なタイプ。男女で性格に違いが出るのが特徴です。男性は理屈っぽくて煮え切らない面がありますが、とても家庭的。女性はかかあ天下で、負けず嫌いで勝ち気です。」、第２の属性の属性データは、「愛と平和の人、みんなで仲よくという気持ちが強く、今の時代には向いているタイプ。世話好きなところがありますが、一歩間違えるとお節介と思われるところも。みんなでと言いながら、自分のことばかり話します。」、第３の属性の属性データは、「努力と忍耐の人、自分さえ我慢すればと思うタイプ。粘り強く物事に取り組んでいく一方で、とてもロマンチストな一面も持っているでしょう。耐えることがある種の快感となり、自分で悩みの種を探してしまうことも。」である。
【００５６】
第４の属性の属性データは、「自由に生きる人、束縛されるのが嫌いなタイプ。ユニークな発想力で、今の時代を上手に生き抜いていけるでしょう。ただし、飽きっぽい面があり、いつもフラフラしがち。持続力を身につけることが架台になります。」、第５の属性の属性データは、「プライドが高い人、愛情豊で情が深いタイプ。コミュニケーションは上手ではないですが、付き合いが長くなると相手を信じ、尽くします。そのため、詐欺師などに騙されてしまうことも。なかなか自分を変えられないので、今の時代には生きにくい面があります。」、第６の属性の属性データは、「陽気で社交的な人、社交性に富み、負けず嫌い。明るい性格で目立つ人も多いので、自分がどう見られているかを常に意識します。とくに男性は格好つけ屋になりがち。相手のことを立てるように心がけるといいでしょう。」である。なお、図６に示す第１の属性〜第１２の属性の各の属性データは例示であり、各属性の属性データは時の経過によって変化する。したがって、各属性の属性データに特に制限はなく、任意の属性データが適宜変更されて個性出力サーバ１０に格納（記憶）され、任意の属性データが個性出力サーバ１０から出力される。
【００５７】
第１の個性〜第１２の個性は、図７に示すように、恋愛、仕事、お金、人間関係、色に分かれている。なお、第１の個性〜第１２の個性において掲載される事項は図７のそれら（恋愛、仕事、お金、人間関係、色）に限らず、人の個性に関連する他のあらゆる事項が含まれる。第１の個性の恋愛メッセージ（個性データ）は、「マジメだからこそすぐに恋に落ちる」、第２の個性の恋愛メッセージ（個性データ）は、「自分はモテると思いこんで惹かれることも」、第３の個性の恋愛メッセージ（個性データ）は、「マイペースで都合のいい恋愛に走りがち」、第４の個性の恋愛メッセージ（個性データ）は、「愛されたい気持ちは誰にも負けない」、第５の個性の恋愛メッセージ（個性データ）は、「愛の炎はすぐに燃え上がるけれど冷めるのも早い」、第６の個性の恋愛メッセージは、「安定志向が強く未来が見える恋愛がしたい」である。
【００５８】
第７の個性の恋愛メッセージ（個性データ）は、「束縛はしないし、されたくない自由な恋愛」、第８の個性の恋愛メッセージ（個性データ）は、「来る者は拒まずで恋愛遍歴を重ねていく」、第９の個性の恋愛メッセージ（個性データ）は、「性格よりもルックス重視で相手を選びがち」、第１０の個性の恋愛メッセージ（個性データ）は、「この人と決めたら長く続く堅実派」、第１１の個性の恋愛メッセージ（個性データ）は、「とにかく見た目が大事でセンスがいい人が好き」、第１２の個性の恋愛メッセージ（個性データ）は、「素のままの自分を愛してほしい甘えたがり」である。なお、図７に示す第１の個性〜第１２の個性の各恋愛メッセージ（各個性データ）は例示であり、各個性に対する恋愛メッセージは時の経過によって変化する。したがって、各恋愛メッセージに特に制限はなく、各個性に対する任意の恋愛メッセージ（個性データ）が適宜変更されて個性出力サーバ１０に格納（記憶）され、任意の恋愛メッセージが個性出力サーバ１０出力される。
【００５９】
第１の個性の仕事メッセージ（個性データ）は、「理屈をこねてばかりでなかなか行動しない」、第２の個性の仕事メッセージ（個性データ）は、「戦略的思考を発揮して着実にゴールを目指す」、第３の個性の仕事メッセージ（個性データ）は、「誰かの役に立つために一所懸命頑張る」、第４の個性の仕事メッセージ（個性データ）は、「ＦＯＲ  ＹＯＵの精神で楽しく働きたい」、第５の個性の仕事メッセージ（個性データ）は、「向上心があって何事も計画的に進めたい」、第６の個性の仕事は、「物事を冷静に計算できるが深読みしすぎる面も」である。
【００６０】
第７の個性の仕事メッセージ（個性データ）は、「情報や流行に敏感で仕事にも遊び心を忘れない」、第８の個性の仕事メッセージ（個性データ）は、「考えるよりまず行動で目の前のことに取り組む」、第９の個性の仕事メッセージ（個性データ）は、「仕事で人を育てる、勝たせることが得意」、第１０の個性の仕事メッセージ（個性データ）は、「どっしりとしたリーダー気質で独自の感性を発揮」、第１１の個性の仕事メッセージ（個性データ）は、「持ち前のサービス力と営業力で手腕を発揮」、第１２の個性の仕事メッセージ（個性データ）は、「思いを形にする豊かな表現力が仕事の武器に」である。なお、図７に示す第１の個性〜第１２の個性の各仕事メッセージ（各個性データ）は例示であり、各個性に対する仕事メッセージは時の経過によって変化する。したがって、各仕事メッセージに特に制限はなく、各個性に対する任意の仕事メッセージ（個性データ）が適宜変更されて個性出力サーバ１０に格納（記憶）され、任意の仕事メッセージが個性出力サーバ１０出力される。
【００６１】
第１の個性のお金メッセージ（個性データ）は、「金がないと言いながら貯金残高は高い」、第２の個性のお金メッセージ（個性データ）は、「相手の喜ぶ顔が見たくてつい浪費することも」、第３の個性のお金メッセージ（個性データ）は、「庶民派だけれど、交際費は惜しまず使う」、第４の個性のお金メッセージ（個性データ）は、「自分よりも周囲のために小さく使う」、第５の個性のお金メッセージ（個性データ）は、「見かけによらず金銭感覚は堅実で貯蓄上手」、第６の個性のお金メッセージ（個性データ）は、「見た目にこだわってブランドに走る傾向あり」である。
【００６２】
第７の個性のお金メッセージ（個性データ）は、「あるときとないときが極端に分かれる」、第８の個性のお金メッセージ（個性データ）は、「金は天下の回りものが信念で、あればあるだけ使う」、第９の個性のお金メッセージ（個性データ）は、「節約家で貯蓄上手だが、使うときは使う」、第１０の個性のお金メッセージ（個性データ）は、「財を増やすのが上手でお金が心の安定につながる」、第１１の個性のお金メッセージ（個性データ）は、「生き金の使い方を知っていて稼ぐ力がある」、第１２の個性のお金メッセージ（個性データ）は、「物ではなく体験や学びのために惜しまず使う」である。なお、図７に示す第１の個性〜第１２の個性の各お金メッセージ（各個性データ）は例示であり、各個性に対するお金メッセージは時の経過によって変化する。したがって、各お金メッセージに特に制限はなく、各個性に対する任意のお金メッセージ（個性データ）が適宜変更されて個性出力サーバ１０に格納（記憶）され、任意のお金メッセージが個性出力サーバ１０出力される。
【００６３】
第１の個性の人間関係メッセージ（個性データ）は、「仲間のためなら火の中水の中の頼れるタイプ」、第２の個性の人間関係メッセージ（個性データ）は、「みんなを笑顔にするのが大好きな女王様」、第３の個性の人間関係メッセージ（個性データ）は、「周囲の意見に流されやすいお世話好き」、第４の個性の人間関係メッセージ（個性データ）は、「やさしさと思いやりにあふれたムードメーカー」、第５の個性の人間関係メッセージ（個性データ）は、「熱い心で人を勇気づけるけれど気が短い」、第６の個性の人間関係メッセージ（個性データ）は、「地味だけど人を包み込む深い愛の持ち主」である。
【００６４】
第７の個性の人間関係メッセージ（個性データ）は、「フレンドリーでどんな人とも仲良くなれる」、第８の個性の人間関係メッセージ（個性データ）は、「無邪気で人当たりはいいが、超マイペース」、第９の個性の人間関係メッセージ（個性データ）は、「コミュニケーション下手のさびしがり屋」、第１０の個性の人間関係メッセージ（個性データ）は、「母のような深い愛と豊かな情感で周囲と接する」、第１１の個性の人間関係メッセージ（個性データ）は、「華やかで社交的だけど損得で人と付き合うことも」、第１２の個性の人間関係メッセージ（個性データ）は、「感動されるのが好きでのせられると頑張る」である。なお、図７に示す第１の個性〜第１２の個性の各人間関係メッセージ（各個性データ）は例示であり、各個性に対する人間関係メッセージは時の経過によって変化する。したがって、各人間関係メッセージに特に制限はなく、各個性に対する任意の人間関係メッセージ（個性データ）が適宜変更されて個性出力サーバ１０に格納（記憶）され、任意の人間関係メッセージが個性出力サーバ１０出力される。
【００６５】
第１の個性の色メッセージ（個性データ）は、「パワー：ブラウン、ビジネス：パステル」、第２の個性の色メッセージ（個性データ）は、「パワー：ゴールド、ビジネス：イエロー」、第３の個性の色メッセージ（個性データ）は、「パワー：パープル、ビジネス：レッド」、第４の個性の色メッセージ（個性データ）は、「パワー：オレンジ、ビジネス：ブラウン」、第５の個性の色メッセージ（個性データ）は、「パワー：ブルー、ビジネス：オレンジ」、第６の個性の色メッセージ（個性データ）は、「パワー：ブラック、ビジネス：ゴールド」である。
【００６６】
第７の個性の色メッセージ（個性データ）は、「パワー：パステル、ビジネス：パープル」、第８の個性の色メッセージ（個性データ）は、「パワー：シルバー、ビジネス：イエロー」、第９の個性の色メッセージ（個性データ）は、「パワー：パステル、ビジネス：ブルー」、第１０の個性の色メッセージ（個性データ）は、「パワー：フレッシュグリーン、ビジネス：ブラック」、第１１の個性の色メッセージ（個性データ）は、「パワー：レッド、ビジネス：グリーン」、第１２の個性の色メッセージ（個性データ）は、「パワー：ピンク、ビジネス：シルバー」である。なお、図６に示す第１の個性〜第１２の個性の各色メッセージ（各個性データ）は例示であり、各個性に対する色メッセージは時の経過によって変化する。したがって、各色メッセージに特に制限はなく、各個性に対する任意の色メッセージ（個性データ）が適宜変更されて個性出力サーバ１０に格納（記憶）され、任意の色メッセージが個性出力サーバ１０出力される。
【００６７】
図８に示す第１の宿命のメッセージは、「もっとも最低な時、自分は表に立たず、ひたすら他人のために努力することが賢明。」、第２の宿命のメッセージは、「秘密が暴露され、平和な過去に波紋。逆に、不幸続きの人には希望が宿る。」第３の宿命のメッセージは、「過去を捨て切り替えの時、住居・職業・交際・衣類・性格まで一新して開運。」、第４の宿命のメッセージは、「協力者が現れ、活気づく。実行の時。」、第５の宿命のメッセージは、「独立、結婚に最高機。見通しもつき、自身が漲る。決断、実行は未来に永続する。」、第６の宿命のメッセージは、「精神に不調を来す。中だるみ、根性の時。建築は不可。ピンチの後に幸。」である。
【００６８】
第７の宿命のメッセージは、「勘が冴え、集中力があり。障害を除去し、願望成就、達成の時。人気信用が集まる最高機。」、第８の宿命のメッセージは、「脱線しやすく、気力に難あり。満足感は隙だらけ。浮気、事故に注意。」、第９の宿命のメッセージは、「既成の上に再び蘇る運。信用力増大、拡大。ツキ、勇猛邁進、再婚など、絶好調機」、第１０の宿命のメッセージは、「予想を上回る成果あり。宴会に縁あり。気力充実。」、第１１の宿命のメッセージは、「巧成り名を遂げる。物心共に充実。高慢に注意。」、第１２の宿命のメッセージは、「裏切られ、期待はずれ。深追いは厳禁。新規は甘言につき凶。未来より過去が重要。」である。なお、図７に示す第１の宿命〜第１２の宿命のメッセージは例示であり、宿命の各メッセージは時の経過によって変化する。したがって、第１の宿命〜第１２の宿命のメッセージに特に制限はなく、第１の宿命〜第１２の宿命のメッセージが適宜変更されて掲載される。
【００６９】
図９は、宿命データ（鑑定表）出力画面の一例を示す図であり、図１０は、月表示バイオリズムグラフの一例を示す図である。図１１は、年表示バイオリズムグラフの一例を示す図である。システム利用契約を締結したユーザーが個性出力システムを利用する手順の一例を説明すると、以下のとおりである。所定のユーザーは、保有するスマートフォン１１や保有するタブレット１２、保有するノート型パソコン１３をインターネット１４に接続し、インターネット１４を介して個性出力サーバ１０（クラウドを含む）にアクセスかつログインする。なお、個性出力サーバ１０へのログイン時にパスワード認証等の認証手続きが行われる。
【００７０】
認証手続きが完了した後、スマートフォン１１やタブレット１２、ノート型パソコン１３が個性出力サーバ１０にログインすると、スマートフォン１１やタブレット１２、ノート型パソコン１３からそれらの通信端末特定情報が個性出力サーバ１０に送信される。個性出力サーバ１０は、ログインしたユーザーの個別情報、スマートフォン１１やタブレット１２、ノート型パソコン１３の通信端末特定情報を大容量記憶領域から抽出し、それら情報をキャッシュメモリに一時的に格納（記憶）する。個別情報や通信端末特定情報をキャッシュメモリに格納した後、個性出力サーバ１０は、スマートフォン１１やタブレット１２のタッチ画面、ノート型パソコン１３のディスプレイにデータ入力画面（図示せず）を出力（表示）させる。
【００７１】
データ入力画面には、ユーザーの生年月日を入力する生年月日入力エリア、決定ボタン、キャンセルボタンが表示される。キャンセルボタンをタップ（クリック）すると、スマートフォン１１やタブレット１２、ノート型パソコン１３が個性出力サーバ１０（個性出力システム）からログアウトする（以下のキャンセルボタンも同様）。個性出力サーバ１０（個性出力システム）からログアウトすると、個性出力サーバ１０は、キャッシュメモリに格納（記憶）された個別情報や通信端末特定情報をキャッシュメモリから削除する。
【００７２】
ユーザーが生年月日入力エリアに生年月日を入力し、決定ボタンをタップ（クリック）すると、生年月日入力エリアに入力された生年月日を表示した生年月日表示エリア、確定ボタン、クリアボタンが表示された確認画面（図示せず）がスマートフォン１１やタブレット１２のタッチ画面、ノート型パソコン１３のディスプレイに出力（表示）される。クリアボタンをタップ（クリック）すると、生年月日入力エリアに入力された生年月日が削除され、生年月日入力エリアに再度生年月日を入力する。
【００７３】
確認画面の生年月日表示エリアに表示された生年月日を確認した後、確定ボタンをタップ（クリック）すると、生年月日入力エリアに入力されたユーザーの生年月日がスマートフォン１１やタブレット１２、ノート型パソコン１３から個性出力サーバ１０（個性出力システム）に送信される（生年月数入力手段）。特定ユーザーの生年月日を受信した個性出力サーバ１０は、受信した生年月日を個別情報、通信端末特定情報、入力日時に関連付けた状態で大容量記憶領域に格納（記憶）する。
【００７４】
特定ユーザーの生年月日をキャッシュメモリに格納した後、個性出力サーバ１０は、所定の生年数および所定の生年月数、所定の生年数および所定の生年月数に対応する所定の個別数の相関関係を示す図２の第１相関関係を利用し、特定ユーザーの生年数および生年月数を第１相関関係に当て嵌める。個性出力サーバ１０は、特定ユーザーの生年数および生年月数を第１相関関係に当て嵌め、特定ユーザーの生年数および生年月数に対応する特定ユーザーの個別数を特定する（個別数特定手段）。
【００７５】
次に個性出力サーバ１０は、個別数特定手段によって特定した個別数に所定数をプラスして属性数を算出する（属性数算出手段）。具体的には、個別数に５をプラスして属性数を算出する。５をプラスして算出した属性数が６０を超える場合、属性数から６０をマイナスして属性数を決定する。個性出力サーバ１０は、個別数特定手段によって特定した特定ユーザーの個別数および属性数算出手段によって算出した特定ユーザーの属性数を個別情報、通信端末特定情報、算出日時に関連付けた状態で大容量記憶領域に格納（記憶）する。
【００７６】
たとえば、生年月日が平成１５（２００３年）年４月１０日の場合、その生年月日を第１相関関係に当て嵌めると、個別数が４０であり（個別数特定手段）、その個別数４０に５をプラスして属性数が４５になる（属性数算出手段）。また、生年月日が平成１８（２００６年）年２月１５日の場合、その生年月日を第１相関関係に当て嵌めると、個別数が５７であり（個別数特定手段）、その個別数５７に５をプラスすると６２になり、６２から６０をマイナスして属性数が２になる（属性数算出手段）。
【００７７】
個性出力サーバ１０は、所定の属性数、所定の属性数に対応する第１の属性〜第６の属性の相関関係を示す図３の第２相関関係を利用し、属性数算出手段によって算出した特定ユーザーの属性数を第２相関関係に当て嵌める。個性出力サーバ１０は、特定ユーザーの属性数を第２相関関係に当て嵌め、特定ユーザーの属性数に対応する第１の属性〜第６の属性のうちのいずれかの属性を特定する（属性特定手段）。
【００７８】
個性出力サーバ１０は、属性特定手段によって特定した特定ユーザーの属性を個別情報、通信端末特定情報、特定日時に関連付けた状態で大容量記憶領域に格納（記憶）する。生年月日が平成１５（２００３年）年４月１０日の場合、属性数が４５であるから、特定ユーザーの属性は第１の属性になる。また、生年月日が平成１８（２００６年）年２月１５日の場合、属性数が２であるから、特定ユーザーの属性は第５の属性になる。
【００７９】
個性出力サーバ１０は、第１の属性〜第６の属性の各属性を生年月数の偶数および奇数に区分した第１の属性（＋），第１の属性（−）〜第６の属性（＋），第６の属性（−）、第１の属性（＋），第１の属性（−）〜第６の属性（＋），第６の属性（−）とそれら属性に対応する第１の個性〜第１２の個性の相関関係を示す第３相関関係を利用し、属性特定手段によって特定した特定ユーザーの属性と特定ユーザーの生年月数の偶数または奇数とを第３相関関係に当て嵌める。個性出力サーバ１０は、特定ユーザーの属性と特定ユーザーの生年月数の偶数または奇数とを第３相関関係に当て嵌め、特定ユーザーの属性および生年月数の偶数または奇数に対応する第１の個性〜第１２の個性のいずれかの個性を特定する（個性特定手段）。
【００８０】
個性出力サーバ１０は、個性特定手段によって特定した特定ユーザーの個性を個別情報、通信端末特定情報、特定日時に関連付けた状態で大容量記憶領域に格納（記憶）する。生年月日が平成１５（２００３年）年４月１０日の場合、特定ユーザーの属性が第１の属性であり、生年月数が奇数であるから、第１の属性（−）・第２の個性になる。また、生年月日が平成１８（２００６年）年２月１５日の場合、特定ユーザーの属性が第５の属性であり、生年月数が偶数であるから、第５の属性・（＋）第９の個性になる。
【００８１】
個性出力サーバ１０は、第１の属性〜第６の属性の各属性を生年月数の偶数および奇数に区分した第１の属性（＋），第１の属性（−）〜第６の属性（＋），第６の属性（−）、１２支の各干支、第１の属性（＋），第１の属性（−）〜第６の属性（＋），第６の属性（−）および１２支の各干支に対応する第１の宿命〜第１２の宿命の相関関係を示す第４相関関係を利用し、属性特定手段によって特定した特定ユーザーの属性と特定ユーザーの生年月数の偶数または奇数と特定ユーザーの干支とを第４相関関係に当て嵌める。個性出力サーバ１０は、特定ユーザーの属性と特定ユーザーの生年月数の偶数または奇数と特定ユーザーの干支とを第４相関関係に当て嵌め、特定ユーザーの属性と特定ユーザーの生年月数の偶数または奇数と特定ユーザーの干支とに対応する第１の宿命〜第１２の宿命のいずれかの宿命を特定する（宿命第１特定手段）。
【００８２】
個性出力サーバ１０は、宿命第１特定手段によって特定した特定ユーザーの宿命を個別情報、通信端末特定情報、特定日時に関連付けた状態で大容量記憶領域に格納（記憶）する。生年月日が平成１５（２００３年）年４月１０日の場合、第１の属性（−）であり、干支が未であるから、特定ユーザーの宿命が第５の宿命になる。また、生年月日が平成１８（２００６年）年２月１５日の場合、第５の属性（＋）であり、干支が戌であるから、特定ユーザーの宿命が第１の宿命になる。
【００８３】
個性出力サーバ１０は、属性特定手段によって特定した特定ユーザーの属性と特定ユーザーの生年月数の偶数または奇数とを第４相関関係に当て嵌め、特定ユーザーの属性と特定ユーザーの生年月数の偶数または奇数と１２支の各干支とに対応する第１の宿命〜第１２の宿命を特定した後、１２支の各干支に対応する暦（西暦、和暦）を特定する（宿命第２特定手段）。宿命第２特定手段では、特定ユーザーの各干支毎の宿命が各干支に対応する暦の年毎に並ぶ年表示バイオリズムグラフを生成する。個性出力サーバ１０は、宿命第２特定手段によって特定した特定ユーザーの宿命、１２支の各干支に対応する暦（西暦、和暦）を個別情報、通信端末特定情報、特定日時に関連付けた状態で大容量記憶領域に格納（記憶）し、生成した年表示バイオリズムグラフを個別情報、通信端末特定情報、特定日時に関連付けた状態で大容量記憶領域に格納（記憶）する。
【００８４】
個性出力サーバ１０は、属性特定手段によって特定した特定ユーザーの属性と特定ユーザーの生年月数の偶数または奇数とを第４相関関係に当て嵌め、特定ユーザーの属性と特定ユーザーの生年月数の偶数または奇数と１２支の各干支とに対応する第１の宿命〜第１２の宿命を特定した後、１２支の各干支に対応する１月〜１２月を特定する（宿命第３特定手段）。個性出力サーバ１０は、宿命第３特定手段によって特定した特定ユーザーの宿命、１２支の各干支に対応する１月〜１２月を個別情報、通信端末特定情報、特定日時に関連付けた状態で大容量記憶領域に格納（記憶）する。
【００８５】
個性出力サーバ１０は、属性特定手段によって特定した特定ユーザーの属性と特定ユーザーの生年月数の偶数または奇数とを第４相関関係に当て嵌め、特定ユーザーの属性と特定ユーザーの生年月数の偶数または奇数と１２支の各干支とに対応する第１の宿命〜第１２の宿命を特定し、１２支の各干支に対応する１月〜１２月を特定した後、第１の宿命〜第１２の宿命に対応した春夏秋冬を特定する（宿命第４特定手段）。宿命第４特定手段では、特定ユーザーの各干支毎の宿命が各干支に対応する１月〜１２月の月毎および春夏秋冬毎に並ぶ月表示バイオリズムグラフを生成する。個性出力サーバ１０は、宿命第４特定手段によって特定した特定ユーザーの宿命、１２支の各干支に対応する１月〜１２月、第１の宿命〜第１２の宿命に対応した春夏秋冬を個別情報、通信端末特定情報、特定日時に関連付けた状態で大容量記憶領域に格納（記憶）し、生成した月表示バイオリズムグラフを個別情報、通信端末特定情報、特定日時に関連付けた状態で大容量記憶領域に格納（記憶）する。
【００８６】
次に個性出力サーバ１０は、スマートフォン１１やタブレット１２のタッチ画面、ノート型パソコン１３のディスプレイにデータ出力画面（図示せず）を出力（表示）させる。データ出力画面には、属性データ出力ボタン、個性データ出力ボタン、宿命データ（鑑定表）出力ボタン、月表示バイオリズムグラフ出力ボタン、年表示バイオリズムグラフ出力ボタン、決定ボタン、戻るボタン、キャンセルボタンが表示される。戻るボタンをタップ（クリック）すると、データ入力画面に戻る。
【００８７】
属性データ出力ボタンをタップ（クリック）すると、特定ユーザーの属性データ出力画面（図示せず）がスマートフォン１１やタブレット１２のタッチ画面やノート型パソコン１３のディスプレイに出力（表示）される（属性データ出力手段）。属性データ出力画面には、特定ユーザーの生年月日、特定ユーザーの属性データ、戻るボタン、キャンセルボタンが表示される。戻るボタンをタップ（クリック）すると、データ出力画面に戻る。
【００８８】
生年月日が平成１５（２００３年）年４月１０日の場合、特定ユーザーの属性が第１の属性になるから、図６の「石橋を叩いて渡る人、生真面目な性格で慎重なタイプ。男女で性格に違いが出るのが特徴です。男性は理屈っぽくて煮え切らない面がありますが、とても家庭的。女性はかかあ天下で、負けず嫌いで勝ち気です。」が表示される。また、生年月日が平成１８（２００６年）年２月１５日の場合、特定ユーザーの属性が第５の属性になるから、図６の「プライドが高い人、愛情豊で情が深いタイプ。コミュニケーションは上手ではないですが、付き合いが長くなると相手を信じ、尽くします。そのため、詐欺師などに騙されてしまうことも。なかなか自分を変えられないので、今の時代には生きにくい面があります。」が表示される。ユーザーは、属性データ出力画面に表示された属性データによって自己の属性の内容を知ることができる。
【００８９】
個性出力システムは、所定の統計学に基づいて設計された第１相関関係および第２相関関係を利用し、特定ユーザーが生来有する正確かつ信憑性の高い属性データを出力することができ、自身の生来有する属性を知りたいという各特定ユーザーの要望に応えることができる。個性出力システムは、特定ユーザーが自身の生来有する正確かつ信憑性の高い属性を知ることができるから、その属性に基づいて自分自身を客観的に見ることができ、その属性を参酌することで自身の進むべき方向を判断することができ、未来に向かって正しい方向へ進むことが可能になる。
【００９０】
データ出力画面において個性データ出力ボタンをタップ（クリック）すると、特定ユーザーの個性データ出力画面（図示せず）がスマートフォン１１やタブレット１２のタッチ画面やノート型パソコン１３のディスプレイに出力（表示）される（個性データ出力手段）。個性データ出力画面には、特定ユーザーの生年月日、特定ユーザーの個性データ、戻るボタン、キャンセルボタンが表示される。戻るボタンをタップ（クリック）すると、データ出力画面に戻る。
【００９１】
生年月日が平成１５（２００３年）年４月１０日の場合、特定ユーザーの個性が第２の個性になるから、図７の第２の個性の恋愛メッセージ、仕事メッセージ、お金メッセージ、人間関係メッセージ、色メッセージが表示される。また、生年月日が平成１８（２００６年）年２月１５日の場合、特定ユーザーの個性が第９の個性になるから、図７の第９の個性の恋愛メッセージ、仕事メッセージ、お金メッセージ、人間関係メッセージ、色メッセージが表示される。ユーザーは、個性データ出力画面に表示された個性データによって自己の個性の内容を知ることができる。
【００９２】
個性出力システムは、所定の統計学に基づいて設計された第１相関関係〜第３相関関係を利用し、特定ユーザーが生来有する正確かつ信憑性の高い個性データを出力することができ、自身の生来有する個性を知りたいという各特定ユーザーの要望に応えることができる。個性出力システムは、特定ユーザーが自身の生来有する正確かつ信憑性の高い個性を知ることができるから、その個性に基づいて自分自身を客観的に見ることができ、その個性を参酌することで自身の進むべき方向を判断することができ、未来に向かって正しい方向へ進むことが可能になる。
【００９３】
データ出力画面において宿命データ（鑑定表）出力ボタンをタップ（クリック）すると、図９に示す特定ユーザーの宿命データ（鑑定表）出力画面がスマートフォン１１やタブレット１２のタッチ画面やノート型パソコン１３のディスプレイに出力（表示）される（宿命データ第１出力手段〜宿命データ第３出力手段）。特定ユーザーの宿命データ（鑑定表）出力画面には、特定ユーザーの生年月日を表示した生年月日表示エリア、特定ユーザーの属性を表示した属性表示エリア、特定ユーザーの個性を表示した個性表示エリア、特定ユーザーの宿命を表示した宿命表示エリア、特定ユーザーの西暦別・年齢別・干支別・月別の運命期を表示した運命期表示エリア、特定ユーザーの属性データを表示した属性データ表示エリア、特定ユーザーの宿命データを表示した宿命データ表示エリアが出力（表示）される。
【００９４】
宿命データ第１出力手段では、宿命第１特定手段によって特定した特定ユーザーの宿命の宿命データを出力する。宿命データ第２出力手段では、宿命第２特定手段によって特定した特定ユーザーの各干支毎の宿命および各干支に対応する暦、特定ユーザーの各干支毎に対応する暦毎の宿命の宿命データを出力する。宿命データ第３出力手段では、宿命第３特定手段によって特定した特定ユーザーの各干支毎の宿命および各干支に対応する１月〜１２月、特定ユーザーの各干支毎に対応する月毎の宿命の宿命データを出力する。
【００９５】
ユーザーは、属性表示エリアに表示された属性によって自己の属性を知ることができ、個性表示エリアに表示された個性によって自己の個性を知ることができるとともに、宿命表示エリアに表示された宿命によって自己の宿命を知ることができる。ユーザーは、運命期表示エリアに表示された運命によって西暦別・年齢別・干支別・月別の運命を知ることができ、属性データ表示エリアに表示された属性データによって自己の属性の内容を知ることができるとともに、宿命データ表示エリアに表示された宿命データによって自己の宿命の内容を知ることができる。
【００９６】
個性出力システムは、所定の統計学に基づいて設計された第１相関関係〜第４相関関係を利用し、特定ユーザーが生来有する正確かつ信憑性の高い宿命データや運命期を出力することができ、自身の生来有する宿命や運命期を知りたいという各特定ユーザーの要望に応えることができる。個性出力システムは、特定ユーザーが自身の生来有する正確かつ信憑性の高い宿命や運命期を知ることができるから、その宿命や運命期に基づいて自分自身を客観的に見ることができ、その宿命や運命期を参酌することで自身の進むべき方向を判断することができ、未来に向かって正しい方向へ進むことが可能になる。
【００９７】
データ出力画面において月表示バイオリズムグラフ出力ボタンをタップ（クリック）すると、図１０に示す月表示バイオリズムグラフがスマートフォン１１やタブレット１２のタッチ画面やノート型パソコン１３のディスプレイに出力（表示）される（宿命データ第４出力手段）。特定ユーザーの月表示バイオリズムグラフには、特定ユーザーの干支に対応した１２ヶ月の月毎の宿命が表示されるとともに、１２ヶ月が冬（準備期間）、春（成長期間）、夏（活動期間）、秋（収穫期間）に区分された状態で表示される。なお、各宿命をタップ（クリック）することで、各宿命の宿命データがスマートフォン１１やタブレット１２のタッチ画面やノート型パソコン１３のディスプレイに出力（表示）される。宿命データ第４出力手段では、宿命第４特定手段によって特定した特定ユーザーの各干支毎の宿命および各干支に対応する１月〜１２月、第１の宿命〜第１２の宿命に対応する春夏秋冬、特定ユーザーの各干支毎に対応する月毎の宿命の宿命データを出力する。
【００９８】
個性出力システムは、所定の統計学に基づいて設計された第１相関関係〜第４相関関係を利用し、特定ユーザーの各干支毎の宿命および各干支に対応する１月〜１２月、第１の宿命〜第１２の宿命に対応する春夏秋冬、特定ユーザーの正確かつ信憑性の高い各月毎および各季節毎の宿命データ、月表示バイオリズムグラフを出力することができ、各月毎および各季節毎の宿命を知りたいという各特定ユーザーの要望に応えることができる。個性出力システムは、特定ユーザーが正確かつ信憑性の高い各月毎および各季節毎の宿命、月表示バイオリズムを知ることができるから、各月毎および各季節毎の宿命、月表示バイオリズムを参酌することで自身の進むべき方向を判断することができ、各月毎および各季節毎に正しい方向へ進むことが可能になる。
【００９９】
データ出力画面において年表示バイオリズムグラフ出力ボタンをタップ（クリック）すると、図１１に示す年表示バイオリズムグラフがスマートフォン１１やタブレット１２のタッチ画面やノート型パソコン１３のディスプレイに出力（表示）される（宿命データ第２出力手段）。特定ユーザーの年表示バイオリズムグラフには、特定ユーザーの干支に対応した年毎（暦）の宿命が表示される。なお、各宿命をタップ（クリック）することで、各宿命の宿命データがスマートフォン１１やタブレット１２のタッチ画面やノート型パソコン１３のディスプレイに出力（表示）される。
【０１００】
個性出力システムは、各干支毎の宿命が暦の年毎に並ぶ年表示バイオリズムグラフを出力することで、特定ユーザーが自身の各年毎の宿命をビジュアルに知ることができ、年表示バイオリズムグラフに表示された各年毎の宿命を参酌することで自身の進むべき方向を判断することができ、各暦毎に正しい方向へ進むことが可能になる。
【符号の説明】
【０１０１】
１０    個性出力サーバ
１１    スマートフォン
１２    タブレット
１３    ノート型パソコン
１４    インターネット
【図１】
2019139284.tif 000003
【図２】
2019139284.tif 000004
【図３】
2019139284.tif 000005
【図４】
2019139284.tif 000006
【図５】
2019139284.tif 000007
【図６】
2019139284.tif 000008
【図７】
2019139284.tif 000009
【図８】
2019139284.tif 000010
【図９】
2019139284.tif 000011
【図１０】
2019139284.tif 000012
【図１１】
2019139284.tif 000013